(57)【要約】【課題】左右の窓の連結強度を向上できる連窓を提供すること。【解決手段】連窓１は、左右の窓２，３および方立５を備える。方立５は、方立本体５０と、方立本体５０に室内側から連結した方立アタッチメント７０とを備える。方立本体５０は、方立本体部５１および方立見付け片部５２と、方立見付け片部５２から室内側に突出した一対の規制片部５３，５４とを有する。方立アタッチメント７０は、アタッチメント本体部７１と、アタッチメント本体部７１から室外側に突出した一対の規制片部７２，７３とを有する。規制片部５３，５４は、縦枠２４，３３の室外部分において当該縦枠２４，３３同士の見付け方向における離間を規制可能に配置される。規制片部７２，７３は、縦枠２４，３３の室内部分において当該縦枠２４，３３同士の見付け方向における離間を規制可能に配置される。【選択図】図４
2020016074.tif 000002
【特許請求の範囲】
【請求項１】
室外側および室内側を仕切る連窓であって、
左右の窓と、前記左右の窓を連結した方立とを備えており、
前記左右の窓は、少なくとも左右の縦枠を有した枠体をそれぞれ備えており、
前記方立は、方立本体と、前記方立本体に室内側から連結した方立アタッチメントとを備えており、
前記方立本体は、前記左右の窓の互いに隣り合う前記縦枠の間に配置された方立本体部と、前記方立本体部に連続していると共に隣り合う前記縦枠の室外端面部に沿った方立見付け片部と、前記方立見付け片部から室内側に突出した一対の第一規制片部とを有しており、
前記方立アタッチメントは、隣り合う前記縦枠の室内見付け面部に沿ったアタッチメント本体部と、前記アタッチメント本体部から室外側に突出した一対の第二規制片部とを有しており、
前記一対の第一規制片部は、隣り合う前記縦枠の室外部分において当該縦枠同士の見付け方向における離間を規制可能に配置されており、
前記一対の第二規制片部は、隣り合う前記縦枠の室内部分において当該縦枠同士の見付け方向における離間を規制可能に配置されている
ことを特徴とする連窓。
【請求項２】
請求項１に記載の連窓において、
前記アタッチメント本体部は、隣り合う前記縦枠に対して固定具によって固定されている
ことを特徴とする連窓。
【請求項３】
請求項１または請求項２に記載の連窓において、
前記縦枠の前記室内見付け面部には、当該室内見付け面部から室外側に延びた一対の側片および前記一対の側片に連続した底片によって溝部が形成されており、
前記一対の第二規制片部は、隣り合う前記縦枠の前記溝部にそれぞれ配置されている
ことを特徴とする連窓。
【請求項４】
請求項３に記載の連窓において、
前記アタッチメント本体部は、隣り合う前記縦枠の室内見付け面部に沿って配置された一対の側部と、前記一対の側部間において室外側に突出した凸部とを有しており、
前記凸部は、隣り合う前記縦枠の間に配置されている
ことを特徴とする連窓。
【請求項５】
請求項１または請求項２に記載の連窓において、
前記縦枠は、前記室内見付け面部よりも室内側に突出した室内ヒレ部を有しており、
前記一対の第二規制片部は、隣り合う前記縦枠の前記室内ヒレ部を間にして配置されている
ことを特徴とする連窓。
【請求項６】
請求項５に記載の連窓において、
前記方立本体部は、隣り合う前記縦枠の前記室内見付け面部よりも室外側から前記室内ヒレ部の間までにわたって配置されている
ことを特徴とする連窓。
【発明の詳細な説明】
【技術分野】
【０００１】
本発明は、左右の窓を連設した連窓に関する。
【背景技術】
【０００２】
従来、方立によって複数の窓枠を連設してなる連窓が知られている（特許文献１参照）。各窓枠は上枠、下枠および左右の縦枠によって枠組みされており、縦枠の室外側には係止用凸部が形成されており、縦枠の室内側には固定面が設けられている。方立は、室外側に配置された外装壁部と、室内側に配置された固定部と、外装壁部および固定部を連結した一対の連結壁部とによって構成されている。方立の外装壁部は、室内側に向かって折曲された係止部が左右両側端部に形成されており、左右の係止部間に互いに隣り合う縦枠の係止用凸部を挟み込んでいる。方立の固定部には、互いに隣り合う縦枠の固定面がタッピングネジによって固定されている。
【先行技術文献】
【特許文献】
【０００３】
【特許文献１】特開平８−１２１０２２号公報
【発明の概要】
【発明が解決しようとする課題】
【０００４】
ところで、特許文献１に記載の連窓では、各窓枠の互いに隣り合う縦枠の固定面が方立の固定部にタッピングネジによって固定されるだけであるので、風や地震等によって連窓が荷重を受けるとタッピングネジによる固定部分に対して応力が集中してしまう。このため、方立による各窓枠の連結強度を更に向上することが困難である。
【０００５】
本発明の目的は、左右の窓の連結強度を向上できる連窓を提供することにある。
【課題を解決するための手段】
【０００６】
本発明の連窓は、室外側および室内側を仕切る連窓であって、左右の窓と、前記左右の窓を連結した方立とを備えており、前記左右の窓は、少なくとも左右の縦枠を有した枠体をそれぞれ備えており、前記方立は、方立本体と、前記方立本体に室内側から連結した方立アタッチメントとを備えており、前記方立本体は、前記左右の窓の互いに隣り合う前記縦枠の間に配置された方立本体部と、前記方立本体部に連続していると共に隣り合う前記縦枠の室外端面部に沿った方立見付け片部と、前記方立見付け片部から室内側に突出した一対の第一規制片部とを有しており、前記方立アタッチメントは、隣り合う前記縦枠の室内見付け面部に沿ったアタッチメント本体部と、前記アタッチメント本体部から室外側に突出した一対の第二規制片部とを有しており、前記一対の第一規制片部は、隣り合う前記縦枠の室外部分において当該縦枠同士の見付け方向における離間を規制可能に配置されており、前記一対の第二規制片部は、隣り合う前記縦枠の室内部分において当該縦枠同士の見付け方向における離間を規制可能に配置されていることを特徴とする。
【発明の効果】
【０００７】
本発明によれば、左右の窓の連結強度を向上できる連窓を提供することができる。
【図面の簡単な説明】
【０００８】
【図１】本発明の第１実施形態に係る連窓を示す斜視図。
【図２】図１に示すＩＩ−ＩＩ線に沿った縦断面図。
【図３】図２に示すＩＩＩ−ＩＩＩ線に沿った横断面図。
【図４】第１実施形態に係る連窓の要部を示す横断面図。
【図５】本発明の第２実施形態に係る連窓の要部を示す横断面。
【発明を実施するための形態】
【０００９】
［第１実施形態］
以下、本発明の第１実施形態を図面に基づいて説明する。
図１において、第１実施形態に係る連窓１は、室内外を仕切るものであって、左右の窓２，３と、窓２，３を連結した方立５とを備えている。
以下の説明において、連窓１の左右方向をＸ軸方向とし、連窓１の上下方向をＹ軸方向とし、連窓１の屋内外方向（見込み方向）をＺ軸方向とする。Ｘ，Ｙ，Ｚ軸方向は互いに直交する。
【００１０】
窓２は、図１〜図３に示すように、上枠２１、下枠２２および左右の縦枠２３，２４によって枠組みされた窓枠２０（枠体）と、窓枠２０内に配置された面材２５とを備えている。本実施形態では、面材２５が窓枠２０に保持された嵌め殺し窓によって構成されている。上枠２１、下枠２２および縦枠２３，２４は、本実施形態では断面同一形状であり、アルミ製や樹脂製の押出形材によって形成されていてもよく、また、アルミ樹脂複合形材によって形成されていてもよい。面材２５は、単層や複層のガラスパネルによって構成される。
【００１１】
上枠２１、下枠２２および縦枠２３，２４を形成する共通の形材２０Ａは、本体枠部２６と、本体枠部２６から室外側に延出した延出枠部２７と、面材２５の室内面を受ける気密材１１が装着される気密材装着部２８と、面材２５の室外面を押える押縁１２が係合する押縁係合溝部２９とを有している。
本体枠部２６は、室外見付け面部２６１、外周見込み面部２６２、内周見込み面部２６３および室内見付け面部２６４によって中空枠状に形成されており、外周見込み面部２６２および内周見込み面部２６３は、室内見付け面部２６４に間隔を隔てて沿った連続片部２６５によって互いに連続している。外周見込み面部２６２には、その外周側に突出した取付ヒレ部２６６（釘ヒレ部）が形成されている。内周見込み面部２６３および室内見付け面部２６４の連続部分には、室内側に突出した室内ヒレ部２６７が形成されている。室内見付け面部２６４には、Ｚ軸方向に沿った一対の側片４１，４２およびこれらに連続した底片４３によって溝部４０が形成されている（図４参照）。
延出枠部２７は、室外見付け面部２６１から室外側に延出した二つの延出見込み面部２７１，２７２と、延出見込み面部２７１，２７１の室外端部に連続した室外端面部２７３とを有しており、室外見付け面部２６１とともに中空枠状に形成されている。
気密材装着部２８は、内周見込み面部２６３の室内端部から内周側に延出して形成されており、その延出端部に気密材１１が係合した係合溝部２８１が形成されている。押縁係合溝部２９は、室外見付け面部２６１および内周見込み面部２６３の連続部分に形成されている。
【００１２】
上枠２１、下枠２２および縦枠２３の取付ヒレ部２６６および室内ヒレ部２６７は建物壁部にそれぞれネジ止めされる。また、図４に示すように、縦枠２３に対して方立本体５０側に位置する縦枠２４の取付ヒレ部２６６は切り落とされている。
窓２では、縦枠２３の上下端部および上枠２１、下枠２２の一端部は斜め切断されて互いに突き合わされており、縦枠２４は、上枠２１および下枠２２の他端部に対して縦勝ちとされている。
【００１３】
窓３は、図１〜図３に示すように、上枠３１、下枠３２および左右の縦枠３３，３４によって枠組みされた窓枠３０（枠体）と、窓枠３０内に配置された面材３５とを備えており、本実施形態では、面材３５が窓枠３０に保持された嵌め殺し窓によって構成されている。上枠３１、下枠３２、縦枠３３，３４および面材３５は、前述した上枠２１、下枠２２、縦枠２３，２４および面材２５と概ね同様に形成されているが、縦枠３４の上下端部と上枠３１および下枠３２の一端部は斜め切断されて互いに突き合わされており、縦枠３４よりも方立本体５０側に位置する縦枠３３が、上枠３１および下枠３２の他端部に対して縦勝ちとされている構成が窓２と異なっている。
【００１４】
方立５は、方立本体５０と、方立本体５０に室外側から連結した方立アタッチメント７０とを備えている。
方立本体５０は、アルミ押出形材によってそれぞれ形成されている。方立本体５０は、図４に示すように、窓２，３の縦枠２４，３３間に配置される方立本体部５１と、方立本体部５１に対して室外側に位置した方立見付け片部５２と、方立見付け片部５２の左右の側縁部から室内側に突出した一対の規制片部５３，５４（第一規制片部）とを有している。方立本体部５１は、方立前面部５５１、方立後面部５５２およびこれらに連続した一対の方立側面部５５３，５５４によって中空枠状に形成された中空枠部５５と、方立前面部５５１から室外側に延出した方立見込み片部５６とを有している。
方立側面部５５３，５５４には、Ｘ軸方向に沿った一対の側片６１，６２およびこれらに連続した底片６３によって側溝部６０がそれぞれ形成されており、側溝部６０には、Ｙ軸方向に延びた乾式のシール部材６５が設けられており、後述する方立見付け片部５２における一次止水部よりも室内側に位置した二次止水部をシール部材６５によって構成している。底片６３同士は連続片部５５５によって連続している。なお、方立側面部５５３，５５４のうち側片６２および方立後面部５５２の間に位置する部分は縦枠２４，３３の外周見込み面部２６２からＸ軸方向に若干離間して配置される。
方立見込み片部５６は、縦枠２４，３３の延出見込み面部２７１に対してＸ軸方向に間隔を隔てて配置されている。また、方立見込み片部５６には、方立本体５０の上下端部を塞ぐキャップ５７（図１参照）をネジ止めするためのビスホール５６１が形成されている。
方立見付け片部５２は、方立見込み片部５６の室外端部に連続しており、縦枠２４，３３の室外端面部２７３に沿って配置されている。規制片部５３は、縦枠２４の延出見込み面部２７２に対してＸ軸方向に対向している。規制片部５４は、縦枠３３の延出見込み面部２７２に対してＸ軸方向に対向している。このように、縦枠２４，３３の延出枠部２７は規制片部５３，５４によって挟み込まれることでＸ軸方向に機械拘束されている。なお、方立見付け片部５２には、縦枠２４，３３の室外端面部２７３に当接する水密材（図示省略）が貼り付けられることで、前述したシール部材６５よりも室外側に位置する一次止水部が構成されている。
【００１５】
方立アタッチメント７０は、アルミ押出形材によって形成されており、図４に示すように、Ｙ軸方向に延びたアタッチメント本体部７１と、アタッチメント本体部７１のＹ軸方向に沿った左右の側縁部から室外側に延出した一対の規制片部７２，７３（第二規制片部）とを有している。
アタッチメント本体部７１のＸ軸方向における中央部には、一対の側片７４，７５およびこれらに連続した頂片７６によって室外側に凸状とされた凸部７７が形成されている。頂片７６は、アタッチメント本体部７１の凸部に対して左右に位置する側部７８，７９よりも室外側に位置している。規制片部７２は側部７８に連続しており、規制片部７３は側部７９に連続している。
この方立アタッチメント７０では、凸部７７が縦枠２４，３３の間に配置され、頂片７６をネジ１３によって方立後面部５５２にネジ連結すると、側片７４，７５は縦枠２４，３３の外周見込み面部２６２に対してＸ軸方向に対向して位置し、側部７８，７９は縦枠２４，３３の室内見付け面部２６４に沿って位置し、規制片部７２は縦枠２４の溝部４０に配置されて側片４１にＸ軸方向に対向して位置し、規制片部７３は縦枠３３の溝部４０に配置されて側片４１にＸ軸方向に対向して位置する。このように縦枠２４，３３がその室内側で規制片部７２，によって挟み込まれることでＸ軸方向に機械拘束されている。方立アタッチメント７０が方立本体５０に対してネジ１３によってネジ連結した状態で、更に側部７８，７９を固定具であるネジ１４によって縦枠２４，３３の室内見付け面部２６４にそれぞれネジ止めすることで、方立アタッチメント７０によって縦枠２４，３３をより強固に連結する。
前述した連窓１において、縦枠２４，３３の室内ヒレ部２６７には、図４に示すように樹脂製カバー８０（化粧カバー）がネジ止めされており、この樹脂製カバー８０によって方立アタッチメント７０および縦枠２４，３３のうち室内ヒレ部２６７間に位置する部分が室内側から覆われている。このように樹脂製カバー８０によって方立アタッチメント７０などを覆うことで、シンプルな内観を構成できる。
【００１６】
以上の連窓１は、次のように窓２，３が連結されることによって構成される。
先ず、窓２，３を方立本体５０に対して設置する。具体的には、窓２の縦枠２４の外周見込み面部２６２を方立本体５０の方立側面部５５３に沿って配置し、続いて、縦枠２４を方立本体５０に対して室外側に移動して、縦枠２４の室外端面部２７３を方立本体５０の方立見付け片部５２に当接させ且つ規制片部５３を縦枠２４の延出見込み面部２７２に掛ける。一方、窓３の縦枠３３の外周見込み面部２６２を方立本体５０の方立側面部５５４に沿って配置し、続いて、縦枠３３を方立本体５０に対して室外側に移動して、縦枠３３の室外端面部２７３を方立本体５０の方立見付け片部５２に当接させ且つ規制片部５４を縦枠３３の延出見込み面部２７２に掛ける。このようにして、規制片部５３，５４によって縦枠２４，３３の室外部分を挟み込んだ状態とする。なお、窓２，３の方立本体５０に対する前述した設置は、当該窓２，３のいずれを先に行ってもよい。
次に、方立アタッチメント７０を方立本体５０に連結する。具体的には、方立アタッチメント７０の凸部７７を縦枠２４，３３間に室内側から入れ込み、規制片部７２，７３を各溝部４０に配置しつつ、側部７８、７９を縦枠２４，３３の室内見付け面部２６４に当接させ、続いて、凸部７７の頂片７６および方立本体５０の方立後面部５５２をネジ１３によって螺合連結し、規制片部７２，７３によって縦枠２４，３３の室内部分を挟み込んだ状態とする。
次に、方立アタッチメント７０の側部７８，７９を縦枠２４，３３の室内見付け面部２６４にネジ１４によってそれぞれネジ止めし、これにより、方立本体５０および方立アタッチメント７０によって左右の窓２，３を連結する。なお、方立本体５０および方立アタッチメント７０による窓２，３の連結後、樹脂製カバー８０が縦枠２４，３３の室内ヒレ部２６７にネジ止めされる。
【００１７】
（１）第１実施形態では、連窓１は、左右の窓２，３と、窓２，３を連結した方立５とを備えており、方立５は、方立本体５０と、方立本体５０に室内側から連結した方立アタッチメント７０とを備えており、方立本体５０は、窓２，３の縦枠２４，３３の間に配置された方立本体部５１と、方立本体部５１に連続していると共に縦枠２４，３３の室外端面部２７３に沿った方立見付け片部５２と、方立見付け片部５２の左右の側縁部から室内側に突出した一対の規制片部５３，５４とを有しており、規制片部５３，５４は、縦枠２４，３３の室外部分において当該縦枠２４，３３同士の見付け方向における離間を規制可能に配置されている。一方、方立アタッチメント７０は、縦枠２４，３３の室内見付け面部２６４に沿ったアタッチメント本体部７１と、アタッチメント本体部７１の左右の側縁部から室外側に突出した一対の規制片部７２，７３とを有しており、規制片部７２，７３は、縦枠２４，３３の室内部分において当該縦枠２４，３３同士の見付け方向における離間を規制可能に配置されている。上記構成を有するため、方立本体５０に方立アタッチメント７０が室内側から連結されることで、Ｚ軸方向において方立本体５０および方立アタッチメント７０が互いに近づくので、方立見付け片部５２が、互いに隣り合う縦枠２４，３３の室外端面部２７３に当接すると共に、方立アタッチメント７０のアタッチメント本体部７１が、縦枠２４，３３の室内見付け面部２６４に当接する。この状態において、方立見付け片部５２の左右の側縁部から室内側に突出した一対の規制片部５３，５４は、縦枠２４，３３の室外部分のＸ軸方向における離間を規制可能に配置される一方、アタッチメント本体部７１の左右の側縁部から室外側に突出した一対の規制片部７２，７３は、縦枠２４，３３の室内部分のＸ軸方向における離間を規制可能に配置される。このため、風や地震等によって連窓１が荷重を受けても、例えば隣り合う縦枠２４，３３に対して方立がタッピングビス等によって固定されているだけの場合のように当該タッピングビスによる固定部分に応力が集中することがなく、荷重を方立５全体に分散させることができて、左右の窓２，３の連結強度を向上できる。
また、窓２，３を連結する際、方立本体５０の規制片部５３，５４の間に縦枠２４，３３の室外部分を配置し、その後、方立アタッチメント７０を方立本体５０に対して室内側から連結することで、縦枠２４，３３の室内部分を方立アタッチメント７０の規制片部７２，７３の間に配置できる。このため、縦枠２４，３３を方立５０に対して室外側に向かってＺ軸方向に真っ直ぐ移動させるだけで当該縦枠２４，３３の室外部分を方立５０の規制片部５３，５４に挟み込ませることができ、例えば縦枠２４，３３を方立５０に対して回り込ませるように移動させて規制片部５３，５４に掛ける場合よりも組立性がよい。
（２）アタッチメント本体部７１は、縦枠２４，３３に対してネジ１４によって固定されているので、規制片部７２，７３が縦枠２４，３３の室内部分同士の離間を規制可能に配置されるうえ、アタッチメント本体部７１がネジ１４によって縦枠２４，３３にネジ止めされるので、窓２，３の室内側における連結強度を更に向上できる。
（３）縦枠２４，３３の室内見付け面部２６４には、当該室内見付け面部２６４から室外側に延びた一対の側片４１，４２および側片４１，４２に連続した底片４３によって溝部４０が形成されており、規制片部７２，７３は、縦枠２４，３３の溝部４０にそれぞれ配置されている。このため、例えば室内見付け面部２６４よりも室内側に突出した室内ヒレ部２６７や後述する室内ヒレ部２６７Ａがなくても、規制片部７２，７３を縦枠２４，３３の各溝部４０に配置することで、縦枠２４，３３の室内部分同士がＸ軸方向に離間することを規制できる。
（４）アタッチメント本体部７１は、縦枠２４，３３の室内見付け面部２６４に沿って配置された一対の側部７８，７９と、側部７８，７９間において室外側に突出した凸部７７とを有しており、凸部７７は、縦枠２４，３３の間に配置されている。このため、アタッチメント本体部７１の凸部７７を縦枠２４，３３の間に室内側から入れ込むことで、方立アタッチメント７０を方立本体５０や縦枠２４，３３に対して簡単に位置決めできる。
【００１８】
[第２実施形態]
以下、本発明の第２実施形態に係る連窓１Ｂについて説明する。
図５において、第２実施形態に係る連窓１Ｂは、前述した連窓１の構成と比べて、縦枠２４，３３が溝部４０を有しておらず、室内ヒレ部２６７に代えて、外周見込み面部２６２および室内見付け面部２６４の連続部分から室内側に突出した室内ヒレ部２６７Ａを有しており、中空枠部５５が縦枠２４，３３の室内見付け面部２６４よりも室内側に延出しており、更に、方立アタッチメント７０および樹脂製カバー８０に代えて、方立アタッチメント７０Ｂおよび樹脂製カバー８０Ｂを備えて構成される点が異なり、これらの点以外の構成は同じである。
【００１９】
中空枠部５５の方立側面部５５３，５５４は、前述した連窓１のものよりも側片６２から室内側に長く延出しており、縦枠２４，３３の室内見付け面部２６４よりも室内側に延出した延出部分は縦枠２４，３３の室内ヒレ部２６７Ａの間に配置されており、中空枠部５５の方立後面部５５２は、縦枠２４，３３の室内ヒレ部２６７Ａの室内端部の間に配置されている。
【００２０】
方立アタッチメント７０Ｂは、縦枠２４，３３の室内ヒレ部２６７Ａおよび方立後面部５５２を覆うＸ軸方向に沿ったアタッチメント本体部７１Ｂと、縦枠２４，３３の室内ヒレ部２６７Ａを覆うＺ軸方向に沿った一対の規制片部７２Ｂ，７３Ｂ（第二規制片部）とを有している。アタッチメント本体部７１Ｂには規制片部７２Ｂ，７３Ｂが連続しており、アタッチメント本体部７１Ｂのうち規制片部７２Ｂ，７３ＢよりもＸ軸方向に突出した突片は、樹脂製カバー８０Ｂが係合する係合突片９１，９２を構成している。また、規制片部７２Ｂ，７３Ｂには、これらの室外端部からＸ軸方向に折曲された当接片部９３，９４が連続しており、当接片部９３，９４は縦枠２４，３３の室内見付け面部２６４に当接している。
この方立アタッチメント７０Ｂでは、縦枠２４，３３の室内ヒレ部２６７Ａを規制片部７２Ｂ，７３Ｂの間に配置し、アタッチメント本体部７１Ｂを方立後面部５５２にネジ１３によってネジ連結することで、規制片部７２Ｂ，７３Ｂによって縦枠２４，３３の室内ヒレ部２６７Ａを挟み込む。このように室内ヒレ部２６７Ａが挟み込まれた縦枠２４，３３は規制片部７２Ｂ，７３Ｂによって室内側でＸ軸方向に機械拘束されている。この状態で、更に規制片部７２Ｂ，７３Ｂおよび室内ヒレ部２６７Ａに固定具であるネジ１５を挿通し、方立側面部５５３，５５４にネジ止めすることで、方立アタッチメント７０によって縦枠２４，３３をより強固に連結する。
【００２１】
樹脂製カバー８０Ｂは、カバー見付け片部８１Ｂと、カバー見付け片部８１Ｂの左右の側縁部から室外側に延出した一対のカバー見込み片部８２Ｂ，８３Ｂと、カバー見込み片部８２Ｂ，８３Ｂ間においてカバー見付け片部８１Ｂから室外側に延出した一対の係合片部８４Ｂ，８５Ｂとを有している。
この樹脂製カバー８０Ｂでは、係合片部８４Ｂ，８５Ｂが方立アタッチメント７０Ｂの係合突片９１，９２に係合することで、カバー見付け片部８１Ｂが方立アタッチメント７０Ｂおよび縦枠２４，３３の室内見付け面部２６４を室外側から覆って配置され、カバー見込み片部８２Ｂ，８３Ｂの端部が縦枠２４，３３の室内見付け面部２６４に当接して方立アタッチメント７０ＢをＸ軸方向に沿った側方側から覆って配置される。
【００２２】
以上の連窓１Ｂでは、縦枠２４，３３に溝部４０などが形成されていなくても、方立アタッチメント７０Ｂの規制片部７２Ｂ，７３Ｂを縦枠２４，３３の室内部分である室内ヒレ部２６７ＡのＸ軸方向への離間を規制片部７２Ｂ，７３Ｂによって規制できる。
また、方立本体部５１は、縦枠２４，３３の室内見付け面部２６４よりも室外側から室内ヒレ部２６７Ａの間までにわたって配置されているので、左右の窓２，３に加えられた外力によって、縦枠２４，３３の室内ヒレ部２６７Ａが互いに接近されようとしても、方立本体部５１のうち室内ヒレ部２６７Ａ間に位置する部分によって前記接近を抑制できる。
なお、樹脂製カバー８０Ｂを方立アタッチメント７０Ｂに係合することで、方立アタッチメント７０Ｂと共に縦枠２４，３３の室内ヒレ部２６７Ａをも覆うことができ、シンプルな内観を構成できる。
【００２３】
[変形例]
第１、第２実施形態では、方立アタッチメント７０，７０Ｂは、縦枠２４，３３にネジ１４，１５によって固定されていなくてもよく、この場合でも、規制片部５３，５４が縦枠２４，３３の室外部分に掛かり、且つ、規制片部７２，７３，７２Ｂ，７３Ｂが縦枠２４，３３の室内部分に掛かるので、方立５によって窓２，３を連結することができる。
第１実施形態では、方立アタッチメント７０は、縦枠２４，３３間に配置される凸部７７が形成されているが、この構成を省略してもよい。
第２実施形態では、方立本体部５１は、縦枠２４，３３の室内見付け面部２６４よりも室外側から室内ヒレ部２６７Ａの間までにわたって配置されているが、室内ヒレ部２６７Ａの間にまで配置されていなくてもよい。この場合であっても、方立本体部５１の方立側面部５５３，５５４が縦枠２４，３３の外周見込み面部２６２に当たっているので、縦枠２４，３３同士のＸ軸方向における接近は抑制される。
第１、第２実施形態では、窓２，３は、面材２５，３５が窓枠２０，３０に保持された嵌め殺し窓によって構成されているが、このほか、面材が窓枠内に開閉可能に配置されたすべり出し窓や開き窓によって構成されていてもよい。
【００２４】
［本発明のまとめ］
本発明の連窓は、室外側および室内側を仕切る連窓であって、左右の窓と、前記左右の窓を連結した方立とを備えており、前記左右の窓は、少なくとも左右の縦枠を有した枠体をそれぞれ備えており、前記方立は、方立本体と、前記方立本体に室内側から連結した方立アタッチメントとを備えており、前記方立本体は、前記左右の窓の互いに隣り合う前記縦枠の間に配置された方立本体部と、前記方立本体部に連続していると共に隣り合う前記縦枠の室外端面部に沿った方立見付け片部と、前記方立見付け片部から室内側に突出した一対の第一規制片部とを有しており、前記方立アタッチメントは、隣り合う前記縦枠の室内見付け面部に沿ったアタッチメント本体部と、前記アタッチメント本体部から室外側に突出した一対の第二規制片部とを有しており、前記一対の第一規制片部は、隣り合う前記縦枠の室外部分において当該縦枠同士の見付け方向における離間を規制可能に配置されており、前記一対の第二規制片部は、隣り合う前記縦枠の室内部分において当該縦枠同士の見付け方向における離間を規制可能に配置されていることを特徴とする。
このような構成によれば、方立本体に方立アタッチメントが室内側から連結されることで、方立の見込み方向において方立本体および方立アタッチメントが互いに近づくので、方立見付け面部が、互いに隣り合う縦枠の室外端面部に当接すると共に、方立アタッチメントのアタッチメント本体部が、隣り合う縦枠の室内見付け面部に当接する。この状態において、方立見付け片部の左右の側縁部から室内側に突出した一対の第一規制片部は、隣り合う縦枠の室外部分の見付け方向における離間を規制可能に配置される一方、アタッチメント本体部の左右の側縁部から室外側に突出した一対の第二規制片部は、隣り合う縦枠の室内部分の見付け方向における離間を規制可能に配置される。このため、風や地震等によって連窓が荷重を受けても、例えば隣り合う縦枠に対して方立がタッピングビス等によって固定されているだけの場合のように当該タッピングビスによる固定部分に応力が集中することがなく、荷重を方立全体に分散させることができて、左右の窓の連結強度を向上できる。
【００２５】
本発明の連窓では、前記アタッチメント本体部は、隣り合う前記縦枠に対して固定具によって固定されていてもよい。
このような構成によれば、一対の第二規制片部が隣り合う縦枠同士の離間を規制可能に配置されるうえ、隣り合う縦枠にアタッチメント本体部が固定具によって固定されるので、左右の窓の室内側における連結強度を更に向上できる。
【００２６】
本発明の連窓では、前記縦枠の前記室内見付け面部には、当該室内見付け面部から室外側に延びた一対の側片および前記一対の側片に連続した底片によって溝部が形成されており、前記一対の第二規制片部は、隣り合う前記縦枠の前記溝部にそれぞれ配置されていてもよい。
このような構成によれば、例えば縦枠の室内見付け面部よりも室内側に突出した室内ヒレ部などによってアングルが形成されていなくても、方立アタッチメントの第二規制片部を縦枠の溝部に配置することで、隣り合う縦枠の室内部分が見付け方向に離間することを規制できる。
【００２７】
本発明の連窓では、前記アタッチメント本体部は、隣り合う前記縦枠の室内見付け面部に沿って配置された一対の側部と、前記一対の側部間において室外側に突出した凸部とを有しており、前記凸部は、隣り合う前記縦枠の間に配置されていてもよい。
このような構成によれば、アタッチメント本体部の凸部を隣り合う縦枠の間に室内側から入れ込むことで、方立アタッチメントを簡単に位置決めできる。
【００２８】
本発明の連窓では、前記縦枠は、前記室内見付け面部よりも室内側に突出した室内ヒレ部を有しており、前記一対の第二規制片部は、隣り合う前記縦枠の前記室内ヒレ部を間にして配置されていてもよい。
このような構成によれば、例えば縦枠の室内見付け面部に第二規制片部が配置される溝部が形成されていなくても、隣り合う縦枠の室内部分である室内ヒレ部の離間を一対の第二規制片部によって規制できる。
【００２９】
本発明の連窓では、前記方立本体部は、隣り合う前記縦枠の前記室内見付け面部よりも室外側から前記室内ヒレ部の間までにわたって配置されていてもよい。
このような構成によれば、左右の窓に加えられた外力によって、隣り合う縦枠の室内ヒレ部が互いに接近されようとしても、方立本体部によって前記接近を抑制できる。
【符号の説明】
【００３０】
１，１Ｂ…連窓、１３〜１５…ネジ、２，３…窓、２０，３０…窓枠（枠体）、２０Ａ…形材、２１，３１…上枠、２２，３２…下枠、２３，３３…縦枠、２４，３４…縦枠、２５，３５…面材、２６…本体枠部、２６１…室外見付け面部、２６２…外周見込み面部、２６３…内周見込み面部、２６４…室内見付け面部、２６７，２６７Ａ…室内ヒレ部、２７…延出枠部、２７３…室外端面部、４０…溝部、４１，４２，６１，６２，７４，７５…側片、４３，６３…底片、５…方立、５０…方立本体、５１…方立本体部、５２…方立見付け片部、５３，５４…規制片部（第一規制片部）、５５…中空枠部、５５１…方立前面部、５５２…方立後面部、５５３…方立側面部、５５４…方立側面部、５６…方立見込み片部、５７…キャップ、６０…側溝部、６５…シール部材、７０，７０Ｂ…方立アタッチメント、７１，７１Ｂ…アタッチメント本体部、７２，７２Ｂ，７３，７３Ｂ…規制片部（第二規制片部）、７７…凸部、７８，７９…側部、８０，８０Ｂ…樹脂製カバー。
【図１】
2020016074.tif 000003
【図２】
2020016074.tif 000004
【図３】
2020016074.tif 000005
【図４】
2020016074.tif 000006
【図５】
2020016074.tif 000007